(57)【特許請求の範囲】
【請求項１】
ガイド部材に案内されてディスクの面に沿って移動自在な光ヘッドと、ガイド部材に沿って延びるスクリュー軸と、前記光ヘッドが搭載されたヘッドベースに設けられて前記スクリュー軸の溝に噛み合う嵌合部とが設けられた光ヘッドの送り装置において、
スレッドモータと、スレッドモータのモータ軸に固定された出力ギヤと、前記スクリュー軸に固定された中継ギヤとを有し、
前記中継ギヤは、前記出力ギヤと直接に噛み合いまたは他のギヤを介して噛み合うギヤ歯と、前記ギヤ歯から前記スクリュー軸に沿って一体に延び周囲に歯を有しない延長部と、前記延長部の先部に一体に形成されて周囲全周に歯が形成された操作部とを有し、
前記出力ギヤから前記ギヤ歯に至る動力伝達部を覆う保護カバーが設けられ、前記保護カバーに設けられた一方の切欠部に前記モータ軸が挿通され、前記保護カバーに設けられた他方の切欠部に前記延長部が挿通されて、前記操作部が前記保護カバーの外部に露出し、この操作部が手動で回転操作可能とされていることを特徴とする光ヘッドの送り装置。
【発明の詳細な説明】
【０００１】
【発明の属する技術分野】
本発明は、モータの回転力により、ＣＤ（コンパクトディスク）やＤＶＤ（ディジタルバーサタイルディスク）プレーヤの再生／記録ヘッドを移動させる光ヘッドの送り装置に関する。
【０００２】
【従来の技術】
図２は、動力伝達機構の従来例を示すものであり、ＣＤ用またはＤＶＤ用の再生ユニットに設けられた光ヘッドの送り装置を示す斜視図である。
図２に示すヘッド送り装置は、対物レンズ３を有する光ヘッド２を２本のガイド軸８ａ，８ｂにより案内するものである。光ヘッド２を搭載したヘッドベース４には、案内基準となる軸受穴５ａ，６ａが一方の側部に形成され、ガイド軸８ａがこの軸受穴５ａ，６ａ内に挿通されている。ヘッドベース４の他方の側部には、Ｕ字溝７ａが形成されており、このＵ字溝７ａがガイド軸８ｂに対して水平方向へ余裕を有して挿通されている。
【０００３】
ヘッド送りの基準側となるガイド軸８ａの側方にはスクリュー軸１が平行に配置されている。スクリュー軸１の一端には動力伝達機構Ａが設けられている。この動力伝達機構Ａは、スレッドモータ９と動力伝達手段Ｇおよびスクリュー軸１から構成されている。また動力伝達手段Ｇは、スレッドモータ９のモータ軸（出力軸）９ａに設けられた出力ギヤ１０ａ、出力ギヤ１０ａに噛み合う中継ギヤ１０ｂおよびスクリュー軸１の一端に設けられている減速ギヤ１ｃから成り、２段減速機構となっている。
【０００４】
スレッドモータ９から発生した回転力は、前記動力伝達手段Ｇを介し減速されてスクリュー軸１に伝達され、スクリュー軸１に所定の回転駆動力が与えられる。ヘッドベース４には雌ねじ状の嵌合部材４ａが設けられ、この嵌合部材４ａが前記スクリュー軸１のねじ溝に噛合っている。嵌合部材４ａは、例えば樹脂などを射出成形したものであり、ヘッドベース４に固設されている。
【０００５】
スクリュー軸１がα方向またはβ方向へ回転すると、この回転力がねじ溝から嵌合部材４ａに（イ）−（ロ）方向への送り力として作用し、ヘッドベース４および光ヘッド２は、一方のガイド軸８ａを基準として（イ）−（ロ）方向へ移動させられる。
図２において、（イ）方向がディスク（図示しない）の内周方向、（ロ）方向がディスクの外周方向である。光ヘッド２はディスクの内周側と外周側との間を直線的に移動し、対物レンズ３からディスクに検出光が照射され、その反射光が光ヘッド２内の受光部により検知されて、ディスクに記録された情報信号が読み出される。
【０００６】
【発明が解決しようとする課題】
しかし、上記光ヘッドの送り装置に用いられる動力伝達手段には、以下に示すような問題がある。
すなわち、出力ギヤ１０ａ，中継ギヤ１０ｂおよび減速ギヤ１ｃから構成される動力伝達手段Ｇは常に外部に露出された状態にあるため、ゴミやホコリなどが付着しやすく、これによりスレッドモータ９の負荷が大きくなることがある。
また、光ヘッドの送り装置の組立作業や点検作業では、露出している出力ギヤ１０ａや減速ギヤ１ｃに対し、作業員が指先やその他の部材によって強制的に回転力を与えることにより送り動作の確認が行われるが、この確認の際にギヤの歯に傷を付けやすく、部品交換をせざるを得ない状況となることがある。
【０００７】
本発明は上記従来の課題を解決するためのものであり、動力伝達手段のギヤどうしが噛み合う部分を覆うようにすることにより、ギヤへのゴミ等の付着や歯の傷つきを防止するとともに機能動作の確認を容易に行なうことのできる光ヘッドの送り装置を提供することを目的としている。
【０００８】
【課題を解決するための手段】
本発明は、ガイド部材に案内されてディスクの面に沿って移動自在な光ヘッドと、ガイド部材に沿って延びるスクリュー軸と、前記光ヘッドが搭載されたヘッドベースに設けられて前記スクリュー軸の溝に噛み合う嵌合部とが設けられた光ヘッドの送り装置において、
スレッドモータと、スレッドモータのモータ軸に固定された出力ギヤと、前記スクリュー軸に固定された中継ギヤとを有し、
前記中継ギヤは、前記出力ギヤと直接に噛み合いまたは他のギヤを介して噛み合うギヤ歯と、前記ギヤ歯から前記スクリュー軸に沿って一体に延び周囲に歯を有しない延長部と、前記延長部の先部に一体に形成されて周囲全周に歯が形成された操作部とを有し、
前記出力ギヤから前記ギヤ歯に至る動力伝達部を覆う保護カバーが設けられ、前記保護カバーに設けられた一方の切欠部に前記モータ軸が挿通され、前記保護カバーに設けられた他方の切欠部に前記延長部が挿通されて、前記操作部が前記保護カバーの外部に露出し、この操作部が手動で回転操作可能とされていることを特徴とするものである。
【００１０】
本発明では、モータの出力軸に設けられる出力ギヤと中継ギヤとが互いに噛み合う部分を保護カバーで覆うことにより、これらギヤどうしの噛み合う部分を外部から隔離することができる。よって、このギヤどうしが噛み合う部分にゴミやホコリが付着しにくくすることができる。またこれらのギヤの歯の傷付き又は欠損などを防止することができる。
【００１１】
上記においては、中継ギヤに操作部を設けているため、操作部の加工が容易となる。また操作部を別途設ける必要がなくなるため、部品点数を削減できる。
また、操作部の表面にギヤ歯が形成されているため、保護カバーから露出して設けられる操作部が手動操作しやすくなり、被駆動部材の機構動作の確認を簡単に行なうことができる。
【００１２】
【発明の実施の形態】
以下、本発明について図面を参照して説明する。
図１は、本発明の実施の形態として、ＤＶＤ用のディスク装置における光ヘッドの送り装置を裏側から見た斜視図である。
図１に示すように、シャーシＳにはガイド部材１８ａおよび１８ｂが互いに平行となるように設けられている。このガイド部材１８ａおよび１８ｂの間には、光ヘッド１２が搭載されたヘッドベース（被駆動機構）１４が支持されている。光ヘッド１２内には、半導体レーザなどの発光素子、この発光素子からの光をディスクＤの記録面に集光させる対物レンズ１２ａ、さらにディスクＤからの反射戻り光を受光検出する受光素子、およびその他の光学系などが内蔵されている。
【００１３】
ヘッドベース１４の一方の側面に一体に形成された軸受部１５には、軸受スリーブ１５ａが嵌着されており、この軸受スリーブ１５ａ内にガイド部材１８ａが挿通されている。ヘッドベース１４の他方側に形成された軸受部１７には、Ｕ字溝１７ａが設けられ、このＵ字溝１７ａがガイド部材１８ｂに摺動自在に嵌合されている。よって、ヘッドベース１４は、ガイド部材１８ａ，１８ｂに沿って図示Ｘ１−Ｘ２方向に摺動可能となっている。
また、ガイド部材１８ａは、軸受スリーブ１５ａに対してきわめて微小な隙間を介して挿通されており、ガイド部材１８ａと軸受スリーブ１５ａとの間のガタはほとんどなく、且つきわめて低摩擦にて摺動できるようになっている。
ガイド部材１８ａに隣接する位置には、被駆動機構であるヘッドベース１４をＸ１−Ｘ２方向へ移送するための動力伝達機構Ｂが配設されている。
動力伝達機構Ｂは、後述する動力伝達手段Ｃ、スレッドモータ１９および保護カバー３０から構成されている。
【００１４】
上記動力伝達手段Ｃは、スレッドモータ１９のモータ軸（第１の出力軸）１９ａ、このモータ軸１９ａに固着された出力ギヤ１９ｂ、この出力ギヤ１９ｂに噛み合う中継ギヤ２０、およびこの中継ギヤ２０が固着されたスクリュー軸１１から成っている。
スクリュー軸１１は、前記ガイド部材１８ａに平行に設けられており、シャーシＳに固定された軸受部１１ｃおよび１１ｄに回動自在に支持されている。スクリュー軸１１のＸ２側は、前記軸受部１１ｃよりもさらにＸ２方向に延長されており、その端部に上記中継ギヤ２０が取り付けられている。中継ギヤ２０は、円盤状の外周面にギヤ歯２０ａが周設されており、その中心部には図示Ｘ１方向に筒状に突出する延長部２０ｂが形成されている。またこの延長部２０ｂの先端は、ギヤ歯が周設された操作部２０ｃとなっている。図１の実施の形態では、この延長部２０ｂがスクリュー軸１１に圧入などによって固着されており、スクリュー軸１１が第２の出力軸となっている。
【００１５】
スクリュー軸１１のＸ２側には、上記スレッドモータ（動力発生手段）１９が設けられている。スレッドモータ１９のモータ軸（第１の出力軸）１９ａには、出力ギヤ１９ｂが圧入などによって固着されており、この出力ギヤ１９ｂが前記中継ギヤ２０のギヤ歯２０ａに噛み合っている。
【００１６】
ヘッドベース１４の軸受部１５が設けられた図示Ｙ１側の端部には、嵌合部材２１が設けられている。この嵌合部材２１は摩擦係数の小さい合成樹脂材料により形成されている。この嵌合部材２１には凸部（図示せず）が一体に形成されている。この凸部がスクリュー軸１１の溝（ねじの谷部）１１ａに噛み合わされており、前記スレッドモータ１９のモータ軸１９ａが回転すると、出力ギヤ１９ｂおよび中継ギヤ２０を介してスクリュー軸１１が回転駆動され、嵌合部材２１にＸ１方向またはＸ２方向への送り力が作用する。これにより、ヘッドベース（被駆動機構）１４はガイド部材１８ａを基準として、ディスクＤの半径方向へ移動させられる。
【００１７】
なお、上記動力伝達手段Ｃは１段減速機構であるため、モータ軸（第１の出力軸）１９ａからスクリュー軸（第２の出力軸）１１に至る動力伝達経路のバックラッシュが小さい。
【００１８】
また、図１に示すように出力ギヤ１９ｂおよび中継ギヤ２０のギヤ歯２０ａを覆う保護カバー３０が設けられている。この保護カバー３０のＸ１およびＸ２側の面には、Ｕ字形状の切欠部３０ａおよび３０ｂがそれぞれ形成されており、切欠部３０ａ内には中継ギヤ２０の延長部２０ｂが回転余裕を有して遊挿される。同様に切欠部３０ｂ内には、スレッドモータ１９のモータ軸１９ａが回転余裕を有して遊挿される。
【００１９】
前記切欠部３０ａおよび３０ｂ内にそれぞれ延長部２０ｂおよびモータ軸１９ａを遊挿した保護カバー３０をシャーシＳに取り付けることにより、上述した如く出力ギヤ１９ｂおよび中継ギヤ２０のギヤ歯２０ａを覆うことができる。これにより、保護カバー３０の内部にゴミやホコリが進入することを防止することができる。すなわち、出力ギヤ１９ｂと中継ギヤ２０の各ギヤ歯の間に砂粒等が付着されることや、各ギヤ歯にホコリなどが絡み付くことが防止可能となる。よって、常に出力ギヤ１９ｂと中継ギヤ２０の噛み合いが円滑に行なわれるため、モータ１９の回転力をスクリュー軸１１に効率良く伝達することが可能となる。よって、ヘッドベース１４を長期に渡ってスムースに移動させることができる。
【００２０】
また、保護カバー３０をシャーシＳに取り付けた状態では、切欠部３０ａから中継ギヤ２０の延長部２０ｂの先端である操作部２０ｃのみが露出される。よって、この操作部２０ｃの部分を指先又はその他の工具によって外部から回転させることが可能であり、操作部２０ｃに手動により回転力を与えることによりヘッドベース１４をガイド部材１８ａに沿ってディスクＤの半径方向へ移動させることができる。よって、作業者は簡単に光ヘッド１２の送り動作を確認することが可能となる。また、この動作確認の作業中に、出力ギヤ１９ｂと中継ギヤ２０に誤って触れることなく操作部２０ｃのみに回転力を与えることができる。よって、互いに直接噛み合う各ギヤの歯先に傷などを付けることがなくなる。
【００２１】
この操作部２０ｃは保護カバー３０に覆われておらず、ホコリ等が付着することがあるが、この操作部２０ｃはスレッドモータ１９からスクリュー軸１１に至る動力伝達経路に係わっていない。すなわち、別のギヤに噛み合う部分ではないため、問題とならない。
なお、上記実施の形態では、保護カバー３０が出力ギヤ１９ｂと中継ギヤ２０とを覆うものを示したが、本発明はこれに限られるものではなく、例えばスレッドモータ１９を含めて動力伝達機構Ｂを全体的に覆うようにしたものであってもよい。あるいは少なくともギヤどうしが噛み合う範囲が覆われるようにしたものであってもよい。
【００２２】
また、上記においては、モータ軸（第１の出力軸）１９ａが直接中継ギヤ２０を駆動するもので説明したが、本発明はこれに限られるものではなく、複数の中継ギヤが噛み合って構成される多段減速機構となる動力伝達手段に保護カバーを設けたものであってもよい。
また、上記においては延長部２０ｂを中継ギヤ２０に設けたもので説明したが、その他出力ギヤ１９ｂの延長部を保護カバー３０の外部に露出させ、この延長部の先端を操作部としたものであってもよい。さらにスレッドモータ１９のモータ軸１９ａをＸ１側あるいはＸ２側方向に延長し、その先端に歯車等を設けて操作部としたものであってもよい。
また上記においては、動力伝達手段として減速機構を示したが、この動力伝達手段は加速機構であってもよい。
さらに、操作部２０ｃは、延長部２０ｂの先端にギヤ歯を周設したものを示したが、その他例えばボス部を設けたものであってもよい。
【００２３】
【発明の効果】
以上のように本発明では、動力伝達手段におけるギヤどうしの噛み合う部分を保護カバーで覆うようにしたため、ギヤにゴミやホコリが付着するのを防止できる。
また、保護カバーの外部に露出される操作部を手動によって操作することにより、ギヤに傷を付けることなく、被駆動部材の動作の確認を行なうことができる。
【図面の簡単な説明】
【図１】本発明の実施の形態の光ヘッドの送り装置を示す斜視図、
【図２】従来の光ヘッドのヘッド送り装置を示す斜視図、
【符号の説明】
１１  スクリュー軸（第２の出力軸）
１４  ヘッドベース
１８ａ，１８ｂ  ガイド部材
１９  スレッドモータ
１９ａ  モータ軸（第１の出力軸）
１９ｂ  出力ギヤ
２０  中継ギヤ
２０ａ  ギヤ歯
２０ｂ  延長部
２０ｃ  操作部
２１  嵌合部材
３０  保護カバー
３０ａ，３０ｂ  切欠部
Ｂ  動力伝達機構
Ｃ  動力伝達手段（１段減速機構）
Ｄ  ディスク
Ｓ  シャーシ
【図１】
0003725334.tif 000002
【図２】
0003725334.tif 000003